(57)【特許請求の範囲】
【請求項１】
現在時刻を変更する時刻変更手段の内少なくとも一つの時刻変更手段が第１の所定の時間以上操作された場合に現在時刻を変更可能な状態とするとともに、少なくとも２つ以上の入力手段が第１の所定の時間より短い第３の所定の時間以上同時に操作された場合に、現在時刻が変更可能な状態になるようにし、現在時刻を変更可能な状態のときに前記時刻変更手段が前記第１の所定の時間より短い第２の所定の時間以上操作された場合に現在時刻が変更されるようにした炊飯器。
【発明の詳細な説明】
【０００１】
【発明の属する技術分野】
本発明は、一般家庭、あるいは業務用に使用する炊飯器に関するものである。
【０００２】
【従来の技術】
従来、この種の炊飯器は例えば図５に示されるような構成であった。図において１は米と水を入れる鍋１であり、鍋１を加熱するための加熱手段２が配設されており、３は時刻やメニューなどの状態を表示する表示手段であり、４は時刻変更手段である。６はメニューや炊飯開始などを設定する入力手段であり、時刻変更手段４も含まれる。５は制御手段であり、加熱手段２を制御して入力手段６の操作と所定のシーケンスに従って炊飯、保温などの動作を行い、表示手段３を制御して時刻やメニューなどを表示させるとともに、時刻変更手段４が第２の所定の時間以上操作されると現在時刻を変更可能な状態にし、さらに第２の所定の時間以上操作されると現在時刻を変更するようにしている。また、第２の所定の時間は操作性を考慮して短い時間（例えば０．１秒）に設定されていることが一般的である。
【０００３】
【発明が解決しようとする課題】
しかしながら、従来の炊飯器では、操作性を考慮して短い時間（例えば０．１秒）時刻変更手段を操作することで現在時刻を変更可能な状態にすることが可能であり、お手入れなどの際に誤って現在時刻を変更可能な状態にして現在時刻を変更してしまうという課題があった。
【０００４】
また、上記課題を考慮して単純に現在時刻の変更をしにくくすると、工場での組み立て時などで現在時刻を合わせる必要があるときに余計な手間や時間がかるという課題があった。
【０００５】
本発明は、上記課題を解決するもので、誤って現在時刻を変更してしまわないようにすると、ともに、工場組み立て時など現在時刻を合わせる必要のあるときには、より短時間で現在時刻を変更可能にすることにある。
【０００６】
【課題を解決するための手段】
上記第１の目的を達成するために本発明は、現在時刻を変更する時刻変更手段が第１の所定の時間以上操作された場合に現在時刻を変更可能な状態とするとともに、現在時刻を変更可能な状態のときに前記時刻変更手段を前記第１の所定の時間より短い第２の所定の時間以上操作された場合に現在時刻が変更されるようにしたものである。
【０００７】
また、少なくとも２つ以上の入力手段が第１の所定の時間より短い第３の所定の時間以上同時に操作された場合に現在時刻が変更可能な状態になるようにしたものである。
【０００８】
【発明の実施の形態】
請求項１に記載の発明は、現在時刻を変更する時刻変更手段が第１の所定の時間以上操作された場合に現在時刻を変更可能な状態になり、現在時刻を変更可能な状態のときに前記時刻変更手段を前記第１の所定の時間より短い第２の所定の時間以上操作された場合に現在時刻が変更されるようにしている。このことにより、現在時刻が変更可能な状態になりにくくなり、誤って現在時刻を変更されにくくしている。
【０００９】
また、少なくとも２つ以上の入力手段が第１の所定の時間より短い第３の所定の時間以上同時に操作された場合に現在時刻が変更可能な状態になるようにすることで、誤って現在時刻を変更されにくくするとともに、２つ以上の入力手段を同時に操作したときには、より短い時間で現在時刻が変更できるため、専用の入力手段を別に設けることなく工場組み立て時など現在時刻を変更する必要のある場合にはより短い時間で現在時刻が変更できるようにすることができる。
【００１０】
【実施例】
以下、本発明の実施例について図面を用いて説明する。なお、すべての実施例において、第１の所定の時間として１秒、第２の所定の時間として０．１秒、第３の所定の時間として０．１秒としているが、第３の所定の時間は第２の所定の時間と同じでも違っていてもよく、また時間も前後に多少の幅を持っいても何ら問題ないことは明らかである。
【００１１】
（実施例１）
図１と図２は本発明の第１の実施例のブロック図をフローチャートである。
【００１２】
図１において１は米と水を入れる鍋１で、２は前記鍋を加熱するための加熱手段で、ヒータを使用している。３は時刻変更手段で時キーと分キーからなる。６は時刻変更手段３を含む入力手段で、時刻変更手段以外に炊飯キーと切りキーと保温キーからなる。４は時刻表示手段であり、ＬＣＤを使用している。５は制御手段であり、時刻の計時と変更、前記加熱手段を制御しての炊飯および、保温と前記表示手段の制御を行っており、マイクロコンピュータと周辺回路からなる。
【００１３】
次に図２を用いて動作を説明すると、ステップ１で現在時刻変更可能状態かどうかを判断し、変更可能状態でないならステップ２へ、変更可能状態ならステップ３へ進む。ステップ２では現在時刻変更可能にしてもよい状態かどうかを判断し、よい状態であればステップ５へ進み、そうでなければステップ４へ進む。ステップ５では時キーか分キーが１秒以上押されたかどうかを判断し、押さえれていればステップ６へ進み、押されていなければステップ４へ進む。ステップ３では時キーか分キーが０．１秒以上押されたかどうかを判断し、押されていればステップ７へ進み、そうでなければステップ８へ進む。ステップ７では現在時刻を変更し、ステップ８へ進む。ステップ８では現在時刻設定可能状態の終了条件が整ったかどうかを判断し、整っていればステップ９へ進み、整っていなければステップ４へ進む。ステップ９では元の状態に戻してステップ４へ進む。ステップ４ではその他の処理を行いステップ１へ進む。
【００１４】
（実施例２）
図３は本発明の第２の実施例のフローチャートである。なお本実例のブロック図は実施例１と同じため説明を省略する。
【００１５】
図３を用いて動作を説明すると、ステップ１で現在時刻変更可能状態かどうかを判断し、変更可能状態でないならステップ２へ、変更可能状態ならステップ３へ進む。ステップ２では現在時刻変更可能にしてもよい状態かどうかを判断し、よい状態であればステップ１０へ進み、そうでなければステップ４へ進む。ステップ１０では時キーと分キーが同時に０．１秒以上押されたかどうかを判断し、押されていればステップ６へ進み、そうでなければステップ５へ進む。ステップ５では時キーか分キーが１秒以上押されたかどうかを判断し、押さえれていればステップ６へ進み、押されていなければステップ１０へ進む。ステップ３では時キーか分キーが０．１秒以上押されたかどうかを判断し、押されていればステップ７へ進み、そうでなければステップ８へ進む。ステップ７では現在時刻を変更し、ステップ８へ進む。ステップ８では現在時刻設定可能状態の終了条件が整ったかどうかを判断し、整っていればステップ９へ進み、整っていなければステップ４へ進む。ステップ９では元の状態に戻してステップ４へ進む。ステップ１０では時キーと分キーが同時に０．１秒以上押されたかどうかを判断し、押されていればステップ６へ進み、押されていなければステップ５へ進む。
【００１６】
なお、本実施例では同時に操作するキーとして時刻設定手段の時キーと分キーをあげたが、必ずしも時刻設定手段である必要がないことはいうまでもなく、また、３つ以上のキーの同時押しであっても構わない。
【００１７】
（実施例３）
図４は本発明の第３の実施例の表示状態を示したものであり、図４の（ａ）にすべての表示を点灯した状態を示す。
【００１８】
図４を用いて動作を説明すると、１１は時刻表示部であり、予約時刻と現在時刻を同じ場所で表示する。１２は今の時刻表示が現在時刻であることを示す現在時刻関係表示部であり、１３は今の時刻表示が予約時刻であることを示す予約時刻関係の表示部である。１４はメニューなどの状態を表示するその他の表示部である。
【００１９】
通常は図４の（ｂ）に示すように予約時刻であることを示す表示部を消し、予約時刻設定中は図４の（ｃ）のように現在時刻であることを示す表示部を消す。現在時刻を変更可能な状態のときは図４の（ｄ）のように、時刻表示部と現在時刻表示部以外の予約時刻表示部とその他の表示部を消す。
【００２０】
なお、現在時刻および予約時刻の変更可能な状態のときに表示を点滅させるなどをしてもかまわない。
【００２１】
また、本実施例では現在時刻関係の表示部として「現在」だけになっているが、現在時刻関係の表示として「時刻設定中」や「時、分キーで時刻変更」というような現在時刻設定中であることを示す表示を加えてもよい。
【００２２】
【発明の効果】
以上のように、請求項１に記載の発明は、現在時刻を変更する時刻変更手段が第１の所定の時間以上操作された場合に現在時刻を変更可能な状態になり、現在時刻を変更可能な状態のとき前記時刻変更手段が前記第１の所定の時間より短い第２の所定の時間以上操作された場合に現在時刻が変更されるようにすることにより、容易には現在時刻が変更可能な状態にならないため、入力手段を増やすことや、操作性を犠牲にすることなく、誤って現在時刻を変更されにくくすることができる。
【００２３】
また、少なくとも２つ以上の入力手段が第１の所定の時間より短い第３の所定の時間以上同時に操作された場合に現在時刻が変更可能な状態になるようにすることで、誤って現在時刻を変更されにくくするとともに、工場組み立て時など現在時刻を変更する必要があるときには、必要な操作にかかる時間が短縮されるため、より短時間で現在時刻の変更が可能になる。
【図面の簡単な説明】
【図１】本発明の第１の実施例の炊飯器のブロック図
【図２】同炊飯器のフローチャート
【図３】本発明の第２の実施例の炊飯器のフローチャート
【図４】（ａ）は、本発明の第３の実施例の全表示状態を示した図
（ｂ）は、同炊飯器の現在時刻表示の状態を示した図
（ｃ）は、同炊飯器の予約時刻表示の状態を示した図
（ｄ）は、同炊飯器の現在時刻変更可能な状態を示した図
【図５】従来の炊飯器のブロック図
【符号の説明】
１  鍋
２  加熱手段
３  表示手段
４  時刻変更手段
５  制御手段
６  入力手段
【図１】
0003622523.tif 000002
【図２】
0003622523.tif 000003
【図３】
0003622523.tif 000004
【図４】
0003622523.tif 000005
【図５】
0003622523.tif 000006